(57)【要約】【課題】            従来の粉粒体の密度拡散装置では十分に満足のいく精巧度が得られず、バラ付きが生じてしまい安定性に欠けてしまうという点である。【解決手段】        定量を搬送する粉粒体フィーダの排出シュートの下方に配設される粉粒体の受容器と、前記排出シュートの間に、排出落下される粉粒体を当てる上面を先端方向に向けて徐々に径を小さくした曲面で形成した粉粒体の密度拡散部材を備えている粉粒体の密度拡散装置において、前記した密度拡散部材は傘状部材とし、その傘状部材の前方側下方に波板で成形された扇状板材を備えていることとする。【選択図】          図１
2015030595.tif 000002
【特許請求の範囲】
【請求項１】
定量を搬送する粉粒体フィーダの排出シュートの下方に配設される粉粒体の受容器と、前記排出シュートの間に、排出落下される粉粒体を当てる上面を先端方向に向けて徐々に径を小さくした曲面で形成した粉粒体の密度拡散部材を備えている粉粒体の密度拡散装置において、前記した密度拡散部材は傘状部材とし、その傘状部材の前方側下方に波板で成形された扇状板材を備えていることを特徴とする粉粒体の密度拡散装置。
【請求項２】
前記した扇状板材は振動フィーダのトラフ内に、拡開された前縁の幅をトラフの幅と合わせて配備されることを特徴とする請求項１に記載の粉粒体の密度拡散装置。
【請求項３】
前記した扇状板材は拡開された前縁両端下方にゴム性の支持脚を備え、かつ、後端はハンガーで扇状板材の受けフレームを掛吊るして前縁に向けて傾斜させてあることを特徴とする請求項１または２に記載の粉粒体の密度拡散装置。
【請求項４】
前記した傘状部材は、後方側を下げ、前方側を上げた状態で位置固定されていることを特徴とする請求項１から３のうち１項に記載の粉粒体の密度拡散装置。
【請求項５】
前記した傘状部材は頂点の内部をフックで前記受けフレームに固定してあることを特徴とする請求項４または５に記載の粉粒体の密度拡散装置。
【請求項６】
前記した排出シュートの下方に、前記した傘状部材の上面へ落下させる粉粒体の飛散を防止して集約させ方向性を規制するためのコニカル部材を備えていることを特徴とする請求項１から５のうち１項に記載の粉粒体の密度拡散装置。
【請求項７】
前記したコニカル部材は上部開口から下部開口に掛けて、徐々に径が小さくなる形状としてあることを特徴とする請求項６に記載の粉粒体の密度拡散装置。
【請求項８】
前記したコニカル部材は取付部材の基端を中心として水平方向に回動可能としてあることを特徴とする請求項６または７に記載の粉粒体の密度拡散装置。
【発明の詳細な説明】
【技術分野】
【０００１】
本発明は粉粒体を定量づつ搬送して排出シュートから排出するフィーダの前記排出シュートから排出落下される粉粒体を受ける、例えばトラフやトレイ等の受容器上に、前記した粉粒体の質量を均一にまんべんなく拡げるための粉粒体の密度拡散装置に関する。
【背景技術】
【０００２】
粉粒体の定量フィーダの排出シュートから落下排出される粉粒体は次工程としての振動フィーダのトラフによって受けられることがある。この場合、粉粒体は排出シュートの上面開口の一次側の開口縁部分から滝のように流れ落ち、トラフ上へ落下するが、その落下を受けた状態は、排出シュートの直下部分では質量が多く密度が高くなってしまい、そこから周域へ広がっていく状態となる。この現象は排出シュートの径が小さくなるほど顕著となる。
【０００３】
上記した粉粒体の密度が偏った状態では、後処理が非常に面倒で精巧性が損なわれることとなってしまい、前段階で、粉粒体を精密に定量づつ搬送した意味合いが薄れてしまうことともなってしまう。
【０００４】
そこで、本件出願人は特許文献１として示す技術を開陳した。しかしながら、この装置にあっても十分といえる粉粒体の密度拡散は得難く、バラ付きが生じ、精密性、安定性に欠けるものとなっていた。
【先行技術文献】
【特許文献】
【０００５】
【特許文献１】特開２０１３−１３９３２１号公報
【発明の概要】
【発明が解決しようとする課題】
【０００６】
本発明が解決しようとする問題点は、従来の粉粒体の密度拡散装置では十分に満足のいく精巧度が得られず、バラ付きが生じてしまい安定性に欠けてしまうという点である。
【課題を解決するための手段】
【０００７】
上記した問題点を解決するために、本発明に係る粉粒体の密度拡散装置は、定量を搬送する粉粒体フィーダの排出シュートの下方に配設される粉粒体の受容器と、前記排出シュートの間に、排出落下される粉粒体を当てる上面を先端方向に向けて徐々に径を小さくした曲面で形成した粉粒体の密度拡散部材を備えている粉粒体の密度拡散装置において、前記した密度拡散部材は傘状部材とし、その傘状部材の前方側下方に波板で成形された扇状板材を備えていることを特徴としている。
【０００８】
また、本発明に係る粉粒体の密度拡散装置は、前記した扇状板材は振動フィーダのトラフ内に、拡開された前縁の幅をトラフの幅と合わせて配備されることを特徴とし、前記した扇状板材は拡開された前縁両端下方にゴム性の支持脚を備え、かつ、後端はハンガーで扇状板材の受けフレームを掛吊るして前縁に向けて傾斜させてあることを特徴としている。
【０００９】
さらに、本発明に係る粉粒体の密度拡散装置は、前記した傘状部材は、後方側を下げ、前方側を上げた状態で位置固定されていることを特徴とし、前記した傘状部材は頂点の内部をフックで前記受けフレームに固定してあることを特徴としている。
【００１０】
そして、前記した排出シュートの下方に、前記した傘状部材の上面へ落下させる粉粒体の飛散を防止して集約させ方向性を規制するためのコニカル部材を備えていることを特徴とし、前記したコニカル部材は上部開口から下部開口に掛けて、徐々に径が小さくなる形状としてあることを特徴とし、前記したコニカル部材は取付部材の基端を中心として水平方向に回動可能としてあることを特徴としている。
【発明の効果】
【００１１】
本発明に係る粉粒体の密度拡散装置は上記のように構成されている。そのため、排出シュートから落下排出された粉粒体は傘状部材の前側上面に当接し、ある程度拡散されるが、その傘状部材により拡散された粉粒体は、さらに扇状板材上に撒き散らされる状況となり、その扇状板材の振動により、一層幅広く拡散されていくこととなり、この拡散作業はバラ付きなく安定し、トラフ上面全体を無駄なく利用できる効率の良いものとなる。
【００１２】
また、排出シュートの下方にコニカル部材を位置調整可能に備えているため、粉粒体の落下排出方向性を自在に調整採択することもできる。
【００１３】
さらに、粉粒体の落下排出を第一に受ける傘状部材は、形状が３６０度方向で同一となるので、従来の円錐状部材と比して設置時に子細に方向性を検討チェックする煩わしさがなく配設することが可能となる。
【図面の簡単な説明】
【００１４】
【図１】本発明を実施した粉粒体密度の拡散装置を示す側面図である。
【図２】平面図である。
【図３】正面図である。
【図４】扇状板材の部分斜視図である。
【図５】コニカル部材の取付構造を示す側面図である。
【図６】平面図である。
【図７】正面図である。
【図８】傘状部材の取付固定構造を示す側面図である。
【図９】正面図である。
【図１０】平面図である。
【発明を実施するための形態】
【００１５】
図面として示し、実施例で説明したように構成したことで実現した。
【実施例１】
【００１６】
次に、本発明の好ましい実施の一例を図面を参照して説明する。図中６はベースを示しており、このベース６の後方両隅と略中程の両縁には各々支持柱５、５‥が設けられている。この四本の支持柱５、５‥の頂面には据置き板１１が固設され、この据置き板１１の略中央位置に後述するホッパー２に投入される粉粒体の質量を計測するための中量級天秤３がアングル材で位置決めされて備えられている。
【００１７】
一方、図中１は減速機付モータ１２によって駆動される粉粒体の定量フィーダであり、昇降機構１３を介して中量級天秤３上に設置されている。この定量フィーダ１の搬送系の上部には連結筒１４を介してホッパー２が設けられており、このホッパー２は投入される粉粒体の質量を正確に中量級天秤３に伝達することができるよう、後面途中をテーパ面として全体の質量（重量）のバランスを図っている。
【００１８】
前記連結筒１４の開口上部には、ホッパー２から流下する粉粒体の流下方向を絞り込むための小ホッパー１５が設けられており、さらに、連結筒１４の下方には、定量フィーダ１の粉粒体の受入口へ集中して粉粒体を送り込むためのテーパガイド板１６が設けられている。
【００１９】
また、前記した定量フィーダ１の前方下方には定量に計量された粉粒体を下方へ排出流下させる排出シュート１７が備えられている。さらに、この排出シュート１７の下方開口の直下にはコニカル部材１８が備えられている。
【００２０】
このコニカル部材１８は径が上部から下部に向けて徐々に小さくなっていく形態のもので、その取付部材１９を屈曲させて中量級天秤３を位置決めする前方のアングル材に装着することで設置されており、この取付部材１９を水平方向に回動可能としてあることで、コニカル部材１８からの粉粒体の排出方向を微細に調整することができるものとしている。
【００２１】
このコニカル部材１８の取付部材１９の構造は図５乃至図７に示されるようになっており、このコニカル部材１８の大径となっている上面開口の外周縁に金属製棒材２２を巻装させ、あるいはリング状とした金属製棒材２２を取り付け、その金属製棒材２２をコニカル部材１８の上縁に放射状に形成された突片１８ａ、１８ａ‥を屈曲させることで支持している。また、前記した金属製棒材２２の後端は延設されて、下方に向けて略直角に屈曲された支持桿２２ａとなっている。
【００２２】
また、この支持桿２２ａは、断面Ｌ字状をした取付板２３の前面略中央に一体的に設けられた受部２４に上下方向に形成された貫通孔内に上方から挿し込まれ、コニカル部材１８を、前記支持桿２２ａを軸として左右方向に水平に回動（スイング）させることを可能としており、このコニカル部材１８の位置は、受部２４の前面に備えられ、前記した貫通孔へ先端が到達するネジ２５によって固定される。
【００２３】
さらに、前記した取付板２３は、前記した中量級天秤３を位置決めするための前方側のアングル材Ａの前面に対して、ネジ２６、２６により締着固定されている。
【００２４】
また、前記したベース６上にはコイルスプリングで支承された振動フィーダ２１が載置固定されており、この振動フィーダ２１は上面に付与された振動で粉粒体を前方へ送るためのトラフ４を備えている。
【００２５】
このトラフ４上には波板によって成形された扇状板材７が設けられている。尚、この扇状板材７の素材としてはフィルター材を想定している。この扇状板材７は拡開された前縁がトラフ４の両側壁部分まで至るよう、トラフ４の幅一杯に設けられているもので、その前縁の両端下にはトラフ４からの振動を伝導し易いようにゴム製の支持脚２０、２０が備えられている。
【００２６】
また、この扇状板材７の後部は受けフレーム８によって支承され、前方へ向かって傾斜する形態で設置されている。この受けフレーム８の後端は、前記した据置き板１１の下面中央に取り付けられたハンガー１０によって吊持されて保持されていることにより、前方への傾斜を構成している。また、この受けフレーム８は平面的にみてＶ字状となっているもので、その両側縁には梁が形成されているもので、このＶ字状の形状に扇状板材７の後部を嵌め付けることによって取り付けられ、扇状板材７には、この両側縁の梁からも振動フィーダ２１、強いてはトラフ４からの振動がゴム製の支持脚２０、２０とともに伝えられるものとなっている。
【００２７】
また、図中９はステンレスで成形された傘状部材であり、この傘状部材９は頂点内部に備えられている係止部に金属製棒材で成形されたフック２７の上端屈曲部を掛け、そのフック２７を前記した受けフレーム８上に設けられた取付部２８で固定する構造となっている。
【００２８】
この取付部２８は、台座２９を受けフレーム８にネジ３０、３０‥によって固着してあり、この台座２９上に挟持プレート３１を、その台座２９の下方から挿通したネジ３２を蝶ナット３３、３３で締着することによって固着される。また、台座２９の上面略中央には前後方向にハーフパイプ状の溝が形成されている。
【００２９】
前記したフック２７は下端が略直角に屈曲されて固定部２７ａとされており、この固定部２７ａが台座２９の上面に形成された溝に嵌められ、上方から挟持プレート３１で挟圧保持されることで位置固定される。尚、挟持プレート３１は台座２９に対し、前後方向へスライドさせることが可能で、フック２７の固着位置を調整することができる。
【００３０】
そして、受けプレート８が前方へ向けて傾斜して取り付けされることから、フック２７は後方へ上端を傾けた状態となって、傘状部材９を、後方へ下げ、前方を上げた状態で固定することができる。そして、前記したコニカル部材１８の下方開口はこの傘状部材９の頂点よりも略１０ｍｍ前方へ対向する態様とされている。
【００３１】
本実施例に係る粉粒体の密度拡散装置は上記のように構成されている。ここで、この装置の作用を説明すると、ホッパー２に投入された粉粒体は連結筒１４の小ホッパー１５を通り、テーパガイド板１６によって方向性をガイドされ定量フィーダ１に流入される。この定量フィーダ１によって定量を計量されて排出シュート１７から落下排出される。
【００３２】
この排出シュート１７から落下排出された粉粒体はコニカル部材１８を通って、傘状部材９の上面、それも前方の上面へ落下排出される。この落下排出はコニカル部材１８の回動（スイング）によって方向性を微調整することが可能である。傘状部材９上に落下された粉粒体はその上面の弧状に沿って下方に配置された扇状板材７上へ撒き散らされるように落下する。
【００３３】
この扇状板材７上に落下された粉粒体は、扇状板材７を成形する波板の溝及び稜線に沿ってトラフ４の幅方向一杯に拡がりながら、トラフ４上に送出される。この際、特に扇状部材７には振動フィーダ２１からの振動がトラフ４を介して伝達され、その送出作業を促進する。即ち、この扇状板材７の構成によって、傘状部材９に加えて、粉粒体がトラフ４上に拡散されることとなる。
【符号の説明】
【００３４】
１    定量フィーダ
２    ホッパー
３    中量級天秤
４    トラフ
５    支持柱
６    ベース
７    扇状板材
８    受けフレーム
９    傘状部材
１０  ハンガー
１１  据置き板
１２  減速機付モータ
１３  昇降手段
１４  連結筒
１５  小ホッパー
１６  テーパガイド板
１７  排出シュート
１８  コニカル部材
１９  取付部材
２０  支持脚
２１  振動フィーダ
２２  金属製棒材
２２ａ  支持桿
２３  取付板
２４  受部
２５，２６，３０，３２  ネジ
２７  フック
２７ａ  固定部
２８  取付部
２９  台座
３１  挟持プレート
３３  蝶ナット
Ａ    前方側のアングル材
【図１】
2015030595.tif 000003
【図２】
2015030595.tif 000004
【図３】
2015030595.tif 000005
【図４】
2015030595.tif 000006
【図５】
2015030595.tif 000007
【図６】
2015030595.tif 000008
【図７】
2015030595.tif 000009
【図８】
2015030595.tif 000010
【図９】
2015030595.tif 000011
【図１０】
2015030595.tif 000012